(57)【要約】【課題】ファンモータと吹出しルーバーを備えた空気清浄機において、吹出しルーバーと吹出し口の隙間から漏れる風切り音の騒音を低減する空気清浄機を提供することを目的とする。【解決手段】室内の空気を清浄化する空気清浄機の本体１と、ファンの回転を行うファンモータ８と、清浄された空気を吹き出す吹出し口３と、この吹出し口３に設けた吹出しルーバー４を備えた空気清浄機において、前記吹出しルーバー４の風切り音を低減する機能を備えた構成としたので、吹出しルーバー４と吹出し口３の隙間から漏れる風切り音の騒音低減を図る空気清浄機を得られる。【選択図】図１
2008246286.tif 000002
【特許請求の範囲】
【請求項１】
室内の空気を清浄化する空気清浄機本体と、ファンの回転を行うファンモータと、清浄された空気を吹き出す吹出し口と、この吹出し口に設けた吹出しルーバーを備えた空気清浄機において、前記吹出しルーバーの風切り音を低減する機能を備えたことを特徴とする空気清浄機。
【請求項２】
室内の空気を清浄化する空気清浄機本体と、ファンの回転を行うファンモータと、清浄された空気を吹き出す吹出し口と、この吹出し口に設けた自動角度調整が可能な吹出しルーバーを備えた空気清浄機において、前記ファンモータと前記吹出しルーバーの動作タイミングの連動を行う動作タイミング連動手段を備えたことを特徴とする請求項１記載の空気清浄機。
【請求項３】
動作タイミング連動手段は、吹出しルーバーの開動作開始から一定時間経過後にファンモータの回転を開始する事を特徴とする請求項２記載の空気清浄機。
【請求項４】
動作タイミング連動手段は、吹出しルーバーの開動作開始から設定風量に応じた所定時間経過後にファンモータの回転を開始する事を特徴とする請求項２記載の空気清浄機。
【請求項５】
動作タイミング連動手段は、吹出しルーバーの開動作開始から吹出しルーバーの所定角度動作完了後にファンモータの回転を開始する事を特徴とする請求項２記載の空気清浄機。
【請求項６】
動作タイミング連動手段は、吹出しルーバーの開動作開始から一定時間の間ファンモータの回転を抑制する事を特徴とする請求項２記載の空気清浄機。
【請求項７】
動作タイミング連動手段は、吹出しルーバーの開動作開始から設定風量に応じた所定時間の間ファンモータの回転を抑制する事を特徴とする請求項２記載の空気清浄機。
【請求項８】
動作タイミング連動手段は、吹出しルーバーの開動作開始から吹出しルーバーの所定角度動作完了までファンモータの回転を抑制する事を特徴とする請求項２記載の空気清浄機。
【請求項９】
動作タイミング連動手段は、ファンモータの回転停止開始から一定時間経過後に吹出しルーバーの閉動作の開始を行う事を特徴とする請求項１記載の空気清浄機。
【請求項１０】
動作タイミング連動手段は、ファンモータの回転停止開始から設定風量に応じた所定時間経過後に吹出しルーバーの閉動作の開始を行う事を特徴とする請求項２記載の空気清浄機。
【請求項１１】
動作タイミング連動手段は、ファンモータの回転停止開始から吹出しルーバーの開角度に応じた所定時間経過後に吹出しルーバーの閉動作の開始を行う事を特徴とする請求項２記載の空気清浄機。
【請求項１２】
動作タイミング連動手段は、ファンモータの回転停止開始からファンモータが所定回転数低下後に吹出しルーバーの閉動作の開始を行う事を特徴とする請求項２記載の空気清浄機。
【発明の詳細な説明】
【技術分野】
【０００１】
本発明は、吹出しルーバーの風切り音を低減する空気清浄機に関する。
【背景技術】
【０００２】
従来、この種の空気清浄機は、吹出し口に自動で角度調整が可能な吹出しルーバーが設けられ、吹出し口から吹出す吹出風の風量が大きいほど吹出風の偏向角度を小なるときの偏向角度より小さくして運転を行っている（例えば、特許文献１参照）。
【特許文献１】特開２００３−１０６５８４号公報
【発明の開示】
【発明が解決しようとする課題】
【０００３】
このような従来の空気清浄機では、吹出しルーバーが閉じているときに使用者が空気清浄機の運転を開始しファンモータが起動すると、吹出しルーバーと吹出し口の隙間から漏れる風切り音の騒音が発生するという課題があった。また、使用者が空気清浄機の運転を停止しファンモータが惰性で回転しているときに吹出しルーバーが閉じた場合、吹出しルーバーと吹出し口の隙間から漏れる風切り音の騒音が発生するという課題があった。
【０００４】
本発明は、このような従来の課題を解決するものであり、使用者が空気清浄機の運転を開始または停止するときの吹出しルーバーと吹出し口の隙間から漏れる風切り音の騒音を低減する空気清浄機を提供することを目的としている。
【課題を解決するための手段】
【０００５】
本発明の空気清浄機は上記目的を達成するために、室内の空気を清浄化する空気清浄機本体と、ファンの回転を行うファンモータと、清浄された空気を吹き出す吹出し口と、この吹出し口に設けた吹出しルーバーを備えた空気清浄機において、前記吹出しルーバーの風切り音を低減する機能を備えた構成としたものである。
【０００６】
この手段により、吹出しルーバーと吹出し口の隙間から漏れる風切り音の騒音の低減を図る空気清浄機が得られる。
【０００７】
また、他の手段は、室内の空気を清浄化する空気清浄機本体と、ファンの回転を行うファンモータと、清浄された空気を吹き出す吹出し口と、この吹出し口に設けた自動角度調整が可能な吹出しルーバーを備えた空気清浄機において、前記ファンモータと前記吹出しルーバーの動作タイミングの連動を行う動作タイミング連動手段を備えた構成としたものである。
【０００８】
この手段により、吹出しルーバーと吹出し口の隙間から漏れる風切り音の騒音を排除することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【０００９】
また、他の手段は、動作タイミング連動手段は、吹出しルーバーの開動作開始から一定時間経過後にファンモータの回転を開始する事を特徴としたものである。
【００１０】
この手段により、吹出しルーバーと吹出し口の隙間から漏れる風切り音の騒音を排除することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００１１】
また、他の手段は、動作タイミング連動手段は、吹出しルーバーの開動作開始から設定風量に応じた所定時間経過後にファンモータの回転を開始する事を特徴としたものである。
【００１２】
この手段により、吹出しルーバーと吹出し口の隙間から漏れる風切り音の騒音を排除することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００１３】
また、他の手段は、動作タイミング連動手段は、吹出しルーバーの開動作開始から吹出しルーバーの所定角度動作完了後にファンモータの回転を開始する事を特徴としたものである。
【００１４】
この手段により、吹出しルーバーと吹出し口の隙間から漏れる風切り音の騒音を排除することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００１５】
また、他の手段は、動作タイミング連動手段は、吹出しルーバーの開動作開始から一定時間の間ファンモータの回転を抑制する事を特徴としたものである。
【００１６】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００１７】
また、他の手段は、動作タイミング連動手段は、吹出しルーバーの開動作開始から設定風量に応じた所定時間の間ファンモータの回転を抑制する事を特徴としたものである。
【００１８】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００１９】
また、他の手段は、動作タイミング連動手段は、吹出しルーバーの開動作開始から吹出しルーバーの所定角度動作完了までファンモータの回転を抑制する事を特徴としたものである。
【００２０】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００２１】
また、他の手段は、動作タイミング連動手段は、ファンモータの回転停止開始から一定時間経過後に吹出しルーバーの閉動作の開始を行う事を特徴としたものである。
【００２２】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００２３】
また、他の手段は、タイミング連動制御手段は、ファンモータの回転停止開始から設定風量に応じた所定時間経過後に吹出しルーバーの閉動作の開始を行う事を特徴としたものである。
【００２４】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００２５】
また、他の手段は、動作タイミング連動手段は、ファンモータの回転停止開始から吹出しルーバーの開角度に応じた所定時間経過後に吹出しルーバーの閉動作の開始を行う事を特徴としたものである。
【００２６】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【００２７】
また、他の手段は、動作タイミング連動手段は、ファンモータの回転停止開始からファンモータが所定回転数低下後に吹出しルーバーの閉動作の開始を行う事を特徴としたものである。
【００２８】
この手段により、吹出しルーバーと吹出し口の隙間から漏れる風切り音の騒音を低減することができる。また、吹出し口から吹出しルーバーへの風圧を軽減し吹出しルーバーへの負荷を軽減し安定した動作が可能となる。また、吹出し口から吹出しルーバーへはね返る風による空気清浄機本体内の気流を安定しファンモータへの負荷を低減し安定したファンモータの動作が可能な空気清浄機が得られる。
【発明の効果】
【００２９】
本発明によれば、使用者が空気清浄機の運転を開始または停止するときの吹出しルーバーと吹出し口の隙間から漏れる風切り音の騒音を低減するという効果のある空気清浄機を提供できる。
【発明を実施するための最良の形態】
【００３０】
本発明の請求項１記載の発明は、室内の空気を清浄化する空気清浄機本体と、ファンの回転を行うファンモータと、清浄された空気を吹き出す吹出し口と、この吹出し口に設けた吹出しルーバーを備えた空気清浄機において、前記吹出しルーバーの風切り音を低減する機能を備えた構成としたものであり、吹出しルーバーと吹出し口の隙間から漏れる風切り音の騒音の低減を図るという作用を有する。
【００３１】
また、請求項２記載の発明は、室内の空気を清浄化する空気清浄機本体と、ファンの回転を行うファンモータと、清浄された空気を吹き出す吹出し口と、この吹出し口に設けた自動角度調整が可能な吹出しルーバーを備えた空気清浄機において、前記ファンモータと前記吹出しルーバーの動作タイミングの連動を行う動作タイミング連動手段を備えた構成としたものであり、ファンモータが動作する前に吹出しルーバーを開くことにより、吹出しルーバーと吹出し口の隙間から漏れる風切り音の騒音の排除を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３２】
また、請求項３記載の発明は、動作タイミング連動手段は、吹出しルーバーの開動作開始から一定時間経過後にファンモータの回転を開始する事を特徴としたものであり、ファンモータが動作する前に吹出しルーバーを開くことにより、吹出しルーバーと吹出し口の隙間から漏れる風切り音の騒音の排除を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３３】
また、請求項４記載の発明は、動作タイミング連動手段は、吹出しルーバーの開動作開始から設定風量に応じた所定時間経過後にファンモータの回転を開始する事を特徴としたものであり、ファンモータが動作する前に吹出しルーバーを開くことにより、吹出しルーバーと吹出し口の隙間から漏れる風切り音の騒音の排除を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３４】
また、請求項５記載の発明は、動作タイミング連動手段は、吹出しルーバーの開動作開始から吹出しルーバーの所定角度動作完了後にファンモータの回転を開始する事を特徴としたものであり、吹出しルーバーと吹出し口の隙間から漏れる風切り音の騒音の排除を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３５】
また、請求項６記載の発明は、動作タイミング連動手段は、吹出しルーバーの開動作開始から一定時間の間ファンモータの回転を抑制する事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３６】
また、請求項７記載の発明は、動作タイミング連動手段は、吹出しルーバーの開動作開始から設定風量に応じた所定時間の間ファンモータの回転を抑制する事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３７】
また、請求項８記載の発明は、動作タイミング連動手段は、吹出しルーバーの開動作開始から吹出しルーバーの所定角度動作完了までファンモータの回転を抑制する事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３８】
また、請求項９記載の発明は、動作タイミング連動手段は、ファンモータの回転停止開始から一定時間経過後に吹出しルーバーの閉動作の開始を行う事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００３９】
また、請求項１０記載の発明は、タイミング連動制御手段は、ファンモータの回転停止開始から設定風量に応じた所定時間経過後に吹出しルーバーの閉動作の開始を行う事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００４０】
また、請求項１１記載の発明は、動作タイミング連動手段は、ファンモータの回転停止開始から吹出しルーバーの開角度に応じた所定時間経過後に吹出しルーバーの閉動作の開始を行う事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００４１】
また、請求項１２記載の発明は、動作タイミング連動手段は、ファンモータの回転停止開始からファンモータが所定回転数低下後に吹出しルーバーの閉動作の開始を行う事を特徴としたものであり、吹出しルーバーと吹出し口の隙間から漏れる風切り音の騒音の低減を図る作用と吹出し口から吹出しルーバーへの風圧を軽減し吹出しルーバーへの負荷を軽減し安定した動作が得られる作用と吹出し口から吹出しルーバーへはね返る風による空気清浄機本体内の気流を安定しファンモータへの負荷を低減し安定した動作が得られる作用を有する。
【００４２】
以下、本発明の実施の形態について図面を参照しながら説明する。
【００４３】
（実施の形態１）
図１は本発明の実施の形態における空気清浄機の一部破断の外観斜視図を示す。
【００４４】
図１に示すように、空気清浄機の本体１は略箱形に形成し、本体１の前面または側面に室内空気を吸気する吸込口２と、本体１の天面に吹出しルーバー４を備えた吹出し口３を設け、吹出しルーバー４の角度を調整する吹出しルーバー駆動部５を有している。さらに運転スイッチや運転モードランプからなる操作表示部６を有している。
【００４５】
本体１内に空気清浄化手段としてのフィルター７と、このフィルター７に通風する送風手段として回転数の制御が可能なファンモータ８を備え、ファンモータ８の駆動により吸込口２から吸い込まれた空気が、フィルター７を通って清浄され、吹出し口３から吹出される。
【００４６】
図２は本発明の実施の形態の制御装置９の構成と入出力の構成を示す図である。
【００４７】
制御装置９には図１で説明した操作表示部６と吹出しルーバー駆動部５とファンモータ８が接続されている。また、制御装置９にはファンモータ８と吹出しルーバー４の動作タイミングの連動を行う動作タイミング連動手段１０を有する。
【００４８】
ここで制御装置９は、図示しないがマイコン（マイクロコンピュータ）と入出力のインタフェースのためのトランジスタ等の電子部品で構成されている。
【００４９】
また、吹出しルーバー駆動部５として、例えばステッピングモータが用いられる。
【００５０】
また、ファンモータ８の回転数を制御する手段として、例えばパルス幅変調（ＰＷＭ）式の可変電圧電流電源が用いられる。
【００５１】
図３〜図１２は動作タイミング連動手段１０の動作を説明するためのフローチャートである。
【００５２】
図３は運転停止中に操作表示部６の運転スイッチを入力することにより空気清浄機が運転を開始する時の動作タイミング連動手段１０に関する動作を説明するためのフローチャートである。
【００５３】
ステップ１（以下ステップをＳと略記）において、吹出しルーバー駆動部５へ開信号の出力を行い、吹出しルーバー４の開動作を開始する。
【００５４】
Ｓ２において、Ｓ１で吹出しルーバー４の開動作を開始してから一定時間が経過したかどうかの判定を行う。ここで一定時間は、吹出しルーバー４と吹出し口３の隙間から漏れる風切り音が発生しないように、吹出しルーバー４と吹出し口３の距離を十分に確保するような吹出しルーバー４の移動時間を考慮すると、例えば３秒を設定する。
【００５５】
Ｓ３において、Ｓ２にて一定時間経過時にファンモータ８へ設定風量の出力を行いファンモータ８の回転を開始する。
【００５６】
また、図４のフローチャートに示すように、Ｓ１１において、吹出しルーバー駆動部５への出力を行い、吹出しルーバー４の開動作を開始する。
【００５７】
Ｓ１２において、設定されている風量の判定を行い、風量弱が設定されている場合は、Ｓ１３−ａにおいて風量弱の所定時間を設定し、風量中が設定されている場合は、Ｓ１３−ｂにおいて風量中の所定時間を設定し、風量強が設定されている場合は、Ｓ１３−ｃにおいて風量強の所定時間を設定する。ここで各設定風量の所定時間は、吹出しルーバー４と吹出し口３の隙間から漏れる風切り音が発生しないように、各設定風量での吹出し口３から吹出す風量と吹出しルーバー４と吹出し口３の距離との関連を考慮すると、風量が強いほど吹出しルーバー４と吹出し口３の距離を長くし、風量が弱いほど吹出しルーバー４と吹出し口３の距離を短くするように吹出しルーバー４の移動時間を設定する。例えば風量弱設定時は１秒、風量中設定時は２秒、風量強設定時は３秒を設定する。
【００５８】
Ｓ１４において、Ｓ１３−ａまたはＳ１３−ｂまたはＳ１３−ｃで設定した所定時間が経過したかどうかの判定を行う。
【００５９】
Ｓ１５において、Ｓ１４にて所定時間経過時にファンモータ８へ設定風量の出力を行いファンモータ８の回転を開始する。
【００６０】
また、図５のフローチャートに示すように、Ｓ２１において、吹出しルーバー駆動部５へ開信号の出力を行い、吹出しルーバー４の開動作を開始する。
【００６１】
Ｓ２２において、Ｓ２１で吹出しルーバー４の開動作を開始してから吹出しルーバー４が所定角度の動作が完了したかの判定を行う。ここで所定角度は、吹出しルーバー４と吹出し口３の隙間から漏れる風切り音が発生しないように、吹出しルーバー４と吹出し口３の距離を十分に確保するような吹出しルーバー４の移動角度を考慮すると、例えば３０°を設定する。移動角度は、制御装置９内のマイコンから吹出しルーバー駆動部５のステッピングモータへ出力するパルス出力のサイクル数から換算する。吹出しルーバー４の移動角度の３０°は、１サイクルあたり０．６９８°移動する吹出しルーバー駆動部５のステッピングモータを使用した場合のサイクル数は４３サイクルである。
【００６２】
Ｓ２３において、Ｓ２２にて吹出しルーバー４が所定角度の動作が完了した時にファンモータ８へ設定風量の出力を行いファンモータ８の回転を開始する。
【００６３】
これにより運転開始時のファンモータ８が回転を開始する前に吹出しルーバー４と吹出し口３の距離を十分に確保できるため、吹出しルーバー４と吹出し口３の隙間から漏れる風切り音の騒音を排除することができる。また吹出し口３から吹出しルーバー４への風圧を排除し吹出しルーバー４への負荷を軽減し吹出しルーバー駆動部５の安定した動作が可能となる。また吹出し口３から吹出しルーバー４へはね返る風による空気清浄機の本体１内の気流を安定しファンモータ８への負荷を低減しファンモータ８の安定した起動動作が可能となる。
【００６４】
また、図６のフローチャートに示すように、Ｓ３１において、吹出しルーバー駆動部５へ開信号の出力を行い、吹出しルーバー４の開動作を開始する。
【００６５】
Ｓ３２において、抑制風量をファンモータ８へ出力を行う。ここで抑制風量は、吹出しルーバー４と吹出し口３の隙間から漏れる風切り音を低減するように、操作表示部６で設定できる最小風量より弱い風量とする。
【００６６】
Ｓ３３において、Ｓ３１で吹出しルーバー４の開動作を開始してから一定時間が経過したかどうかの判定を行う。ここで一定時間は、吹出しルーバー４と吹出し口３の隙間から漏れる風切り音を低減するように、吹出しルーバー４と吹出し口３の距離を十分に確保するような吹出しルーバー４の移動時間を考慮すると、例えば３秒とする。
【００６７】
Ｓ３４において、Ｓ３３にて一定時間経過時にファンモータ８へ設定風量の出力を行う。
【００６８】
また、図７のフローチャートに示すように、Ｓ４１において、吹出しルーバー駆動部５へ開信号の出力を行い、吹出しルーバー４の開動作を開始する。
【００６９】
Ｓ４２において、抑制風量をファンモータ８へ出力を行う。ここで抑制風量は、吹出しルーバー４と吹出し口３の隙間から漏れる風切り音を低減するように、操作表示部６で設定できる最小風量より弱い風量とする。
【００７０】
Ｓ４３において、設定されている風量の判定を行い、風量弱が設定されている場合は、Ｓ４４−ａにおいて風量弱の所定時間を設定し、風量中が設定されている場合は、Ｓ４４−ｂにおいて風量中の所定時間を設定し、風量強が設定されている場合は、Ｓ４４−ｃにおいて風量強の所定時間を設定する。ここで各設定風量の所定時間は、吹出しルーバー４と吹出し口３の隙間から漏れる風切り音を低減するように、各設定風量での吹出し口３から吹出す風量と吹出しルーバー４と吹出し口３の距離との関連を考慮すると、風量が強いほど吹出しルーバー４と吹出し口３の間隔を長くし、風量が弱いほど吹出しルーバー４と吹出し口３の間隔を短くするように吹出しルーバー４の移動時間を設定する。例えば風量弱設定時は１秒、風量中設定時は２秒、風量強設定時は３秒を設定する。
【００７１】
Ｓ４５において、Ｓ４４−ａまたはＳ４４−ｂまたはＳ４４−ｃで設定した所定時間が経過したかどうかの判定を行う。
【００７２】
Ｓ４６において、Ｓ４５にて所定時間経過時にファンモータ８へ設定風量の出力を行う。
【００７３】
また、図８のフローチャートに示すように、Ｓ５１において、吹出しルーバー駆動部５へ開信号の出力を行い、吹出しルーバー４の開動作を開始する。
【００７４】
Ｓ５２において、抑制風量をファンモータ８へ出力を行う。ここで抑制風量は、吹出しルーバー４と吹出し口３の隙間から漏れる風切り音を低減するように、操作表示部６で設定できる最小風量より弱い風量とする。
【００７５】
Ｓ５３において、Ｓ５１で吹出しルーバー４の開動作を開始してから吹出しルーバー４が所定角度の動作が完了したかの判定を行う。ここで所定角度は、吹出しルーバー４と吹出し口３の隙間から漏れる風切り音の低減するように、吹出しルーバー４と吹出し口３の距離を十分に確保するような吹出しルーバー４の移動角度を考慮すると、例えば３０°を設定する。移動角度は、制御装置９内のマイコンから吹出しルーバー駆動部５のステッピングモータへ出力するパルス出力のサイクル数から換算する。吹出しルーバー４の移動角度３０°は、１サイクルあたり０．６９８°移動する吹出しルーバー駆動部５のステッピングモータを使用した場合のサイクル数は４３サイクルである。
【００７６】
Ｓ５４において、Ｓ５３にて吹出しルーバー４が所定角度の動作が完了した時にファンモータ８へ設定風量の出力を行う。
【００７７】
これにより、ファンモータ８が動作する前に吹出しルーバー４を開くことにより、運転開始時の吹出しルーバー４と吹出し口３の距離を十分に確保できるため、吹出しルーバー４と吹出し口３の隙間から漏れる風切り音の騒音を低減することができる。また吹出し口３から吹出しルーバー４への風圧を軽減し吹出しルーバー４への負荷を軽減し吹出しルーバー駆動部５の安定した動作が可能となる。また吹出し口３から吹出しルーバー４へはね返る風による空気清浄機の本体１内の気流を安定しファンモータ８への負荷を低減しファンモータ８の安定した起動動作が可能となる。
【００７８】
図９は運転中に操作表示部６の運転スイッチを入力することにより空気清浄機が運転を停止する時の動作タイミング連動手段１０に関する動作を説明するためのフローチャートである。
【００７９】
Ｓ６１において、ファンモータ８へ停止出力を行い、ファンモータ８の回転停止動作が開始する。
【００８０】
Ｓ６２において、Ｓ６１でファンモータ８の回転停止動作を開始してから一定時間が経過したかどうかの判定を行う。ここで一定時間は、ファンモータ８が停止出力を受けてから惰性で回転し吹出し口３へ吹出す風が吹出しルーバー４と吹出し口３の隙間から漏れる風切り音を低減する風量までファンモータ８の回転が下がる時間を考慮すると、例えば３秒を設定する。
【００８１】
Ｓ６３において、Ｓ６２にて一定時間経過時に吹出しルーバー駆動部５へ閉信号の出力を行い、吹出しルーバー４の閉動作を開始する。
【００８２】
また、図１０のフローチャートに示すように、Ｓ７１において、ファンモータ８へ停止出力を行い、ファンモータ８の回転停止動作が開始する。
【００８３】
Ｓ７２において、運転中に設定されていた風量の判定を行い、風量弱が設定されていた場合は、Ｓ７３−ａにおいて風量弱の所定時間を設定し、風量中が設定されていた場合は、Ｓ７３−ｂにおいて風量中の所定時間を設定し、風量強が設定されていた場合は、Ｓ７３−ｃにおいて風量強の所定時間を設定する。ここで各設定風量の所定時間は、ファンモータ８が停止出力を受けてから惰性で回転し吹出し口３へ吹出す風が吹出しルーバー４と吹出し口３の隙間から漏れる風切り音を低減する風量までファンモータ８の回転が下がる時間を考慮する。設定されていた風量が強いほどファンモータ８の回転数が下がるまでの時間が長く、風量が弱いほどファンモータ８の回転数が下がるまでの時間は短く設定する。例えば、風量弱設定時は１秒、風量中設定時は２秒、風量強設定時は３秒を設定する。
【００８４】
Ｓ７４において、Ｓ７３−ａまたはＳ７３−ｂまたはＳ７３−ｃで設定した所定時間が経過したかどうかの判定を行う。
【００８５】
Ｓ７５において、Ｓ７４にて所定時間経過時に吹出しルーバー駆動部５へ閉信号の出力を行い、吹出しルーバー４の閉動作を開始する。
【００８６】
また、図１１のフローチャートに示すように、Ｓ８１において、ファンモータ８へ停止出力を行い、ファンモータ８の回転停止動作が開始する。
【００８７】
Ｓ８２において、吹出しルーバー４の開角度を判定し、吹出しルーバー４が全開角度の１／２以上開いている場合はＳ８３−ａにおいて、全開角度１／２以上の所定時間を設定し、吹出しルーバー４が全開角度の１／２未満の場合はＳ８３−ｂにおいて、全開角度１／２未満の所定時間を設定する。開角度は、制御装置９内のマイコンから吹出しルーバー駆動部５のステッピングモータへ出力するパルス出力のサイクル数から換算する。吹出しルーバー４の全開角度を６０°とすると全開角度の１／２は３０°となる。１サイクルあたり０．６９８°移動する吹出しルーバー駆動部５のステッピングモータを使用した場合の全開角度１／２のサイクル数は４３サイクルである。ここでＳ８３−ａ、Ｓ８３−ｂで設定する所定時間は、ファンモータ８が停止出力を受けてから惰性で回転し吹出し口３へ吹出す風が吹出しルーバー４と吹出し口３の隙間から漏れる風切り音を低減する風量までファンモータ８の回転が下がる時間と吹出しルーバー４の移動距離を考慮すると、吹出しルーバー４が全開角度の１／２以上の場合は、吹出しルーバー４が閉方向へ移動する距離が吹出しルーバー４が全開角度の１／２未満の場合より長いため所定時間へ設定する時間を短くする。例えば全開角度１／２以上時は２秒、全開角度１／２未満時は３秒を設定する。
【００８８】
Ｓ８４において、Ｓ８３−ａまたはＳ８３−ｂで設定した所定時間が経過したかどうかの判定を行う。
【００８９】
Ｓ８５において、Ｓ８４にて所定時間経過時に吹出しルーバー駆動部５へ閉信号の出力を行い、吹出しルーバー４の閉動作を開始する。
【００９０】
また、図１２のフローチャートに示すように、Ｓ９１において、ファンモータ８へ停止出力を行い、ファンモータ８の回転停止動作が開始する。
【００９１】
Ｓ９２において、ファンモータ８の回転数が所定回転数以下かどうかの判定を行う。ここで所定回転数は、ファンモータ８が停止出力を受けてから惰性で回転し吹出し口３へ吹出す風が吹出しルーバー４と吹出し口３の隙間から漏れる風切り音を低減する風量のファンモータ８の回転数を考慮すると、例えば２００ｒｐｍを設定する。ファンモータ８の回転数は、制御装置９内のマイコンにファンモータ８の回転数信号を入力し測定を行う。
【００９２】
Ｓ９３において、Ｓ９２にてファンモータ８の回転数が所定回転数以下まで下がった場合に吹出しルーバー駆動部５へ閉信号の出力を行い、吹出しルーバー４の閉動作を開始する。
【００９３】
これにより、ファンモータの停止後に吹出しルーバーを閉じることにより、運転停止時の吹出しルーバー４と吹出し口３の隙間から漏れる風切り音の騒音を低減することができる。また吹出し口３から吹出しルーバー４への風圧を軽減し吹出しルーバー４への負荷を軽減し吹出しルーバー駆動部５の安定した動作が可能となる。また吹出し口３から吹出しルーバー４へはね返る風による空気清浄機の本体１内の気流を安定しファンモータ８への負荷を低減しファンモータ８の安定した停止動作が可能となる。
【００９４】
以上の図３〜図１２で説明した動作は、制御装置９の前述のマイコンにおいて、ＲＯＭやＲＡＭやカウンターなどが共働するマイコンのプログラムの形態で実施される。
【産業上の利用可能性】
【００９５】
本発明のファンモータと吹出しルーバーの動作タイミングを連動する技術は、吹出し口と吹出しルーバーの隙間から漏れる風切り音の騒音低減が図れるので、ファンモータと吹出しルーバーを備えた家庭用の除湿機や加湿機にも適用できる。
【図面の簡単な説明】
【００９６】
【図１】本発明の実施の形態１の空気清浄機の一部破断の外観斜視図
【図２】同空気清浄機の構成を示した図
【図３】同空気清浄機の運転開始時に一定時間の経過判断を行う動作タイミング連動手段の動作を説明するフローチャート
【図４】同空気清浄機の運転開始時に設定風量に応じた所定時間の経過判断を行う動作タイミング連動手段の動作を説明するフローチャート
【図５】同空気清浄機の運転開始時に吹出しルーバーの所定角度の動作完了判断を行う動作タイミング連動手段の動作を説明するフローチャート
【図６】同空気清浄機の運転開始時にファンモータの抑制を行い一定時間の経過判断を行う動作タイミング連動手段の動作を説明するフローチャート
【図７】同空気清浄機の運転開始時にファンモータの抑制を行い設定風量に応じた所定時間の経過判断を行う動作タイミング連動手段の動作を説明するフローチャート
【図８】同空気清浄機の運転開始時にファンモータの抑制を行い吹出しルーバーの所定角度の動作完了判断を行う動作タイミング連動手段の動作を説明するフローチャート
【図９】同空気清浄機の運転停止時に一定時間の経過判断を行う動作タイミング連動手段の動作を説明するフローチャート
【図１０】同空気清浄機の運転停止時に設定風量に応じた所定時間の経過判断を行う動作タイミング連動手段の動作を説明するフローチャート
【図１１】同空気清浄機の運転開始時に吹出しルーバーの開角度に応じた所定時間の経過判断を行う動作タイミング連動手段の動作を説明するフローチャート
【図１２】同空気清浄機の運転開始時にファンモータの回転数低下判断を行う動作タイミング連動手段の動作を説明するフローチャート
【符号の説明】
【００９７】
１    本体
２    吸込口
３    吹出し口
４    吹出しルーバー
５    吹出しルーバー駆動部
６    操作表示部
７    フィルター
８    ファンモータ
９    制御装置
１０  動作タイミング連動手段
【図１】
2008246286.tif 000003
【図２】
2008246286.tif 000004
【図３】
2008246286.tif 000005
【図４】
2008246286.tif 000006
【図５】
2008246286.tif 000007
【図６】
2008246286.tif 000008
【図７】
2008246286.tif 000009
【図８】
2008246286.tif 000010
【図９】
2008246286.tif 000011
【図１０】
2008246286.tif 000012
【図１１】
2008246286.tif 000013
【図１２】
2008246286.tif 000014